(57)【要約】【課題】像担持体から潤滑剤塗布部材に付着物が転移して潤滑剤塗布部材が局所的に汚れることに起因する画像スジの発生を防止することが可能な潤滑剤塗布装置および画像形成装置を提供する。【解決手段】潤滑剤塗布装置９０（画像形成装置１）は、感光体ドラム４１３の回転軸方向において感光体ドラム４１３の表面を複数の第１部分に区分し、感光体ドラム４１３に形成されたトナー像の第１部分毎の部分カバレッジを算出し、塗布ブラシローラー９１の回転方向における潤滑剤９３と塗布ブラシローラー９１との当接位置よりも上流側、かつ、感光体ドラム４１３と塗布ブラシローラー９１との当接位置よりも下流側に設けられた気流発生部１１０を制御し、複数の第１部分のそれぞれに当接する塗布ブラシローラー９１の第２部分のうち、部分カバレッジが所定条件を満たす第１部分に当接する第２部分からその外側に向かう気流を選択的に発生させる。【選択図】図３
2015232645.tif 000002
【特許請求の範囲】
【請求項１】
潤滑剤と、
前記潤滑剤および像担持体の表面に当接しながら回転することによって、当該像担持体の表面に当該潤滑剤を塗布する潤滑剤塗布部材と、
前記像担持体の回転軸方向において当該像担持体の表面を複数の第１部分に区分し、当該像担持体に形成されたトナー像の当該第１部分毎のカバレッジを部分カバレッジとして算出する部分カバレッジ算出部と、
前記潤滑剤塗布部材の回転方向における前記潤滑剤と前記潤滑剤塗布部材との当接位置よりも上流側、かつ、前記像担持体と前記潤滑剤塗布部材との当接位置よりも下流側に設けられ、前記潤滑剤塗布部材からその外側に向かう気流を発生させる気流発生部と、
前記複数の第１部分のそれぞれに当接する前記潤滑剤塗布部材の複数の第２部分のうち、前記部分カバレッジ算出部により算出された前記部分カバレッジが所定条件を満たす第１部分に当接する第２部分に限り、当該第２部分からその外側に向かう気流を選択的に発生させるように前記気流発生部を制御する制御部と、
を備えることを特徴とする潤滑剤塗布装置。
【請求項２】
前記制御部は、前記部分カバレッジ算出部により算出された前記部分カバレッジが増大するにつれて前記気流の風速を増大させるように前記気流発生部を制御することを特徴とする請求項１に記載の潤滑剤塗布装置。
【請求項３】
前記気流発生部は、前記潤滑剤塗布部材の複数の第２部分のうち前記部分カバレッジが前記所定条件を満たす第１部分に当接する第２部分を吸引することによって、当該第２部分からその外側に向かう気流を発生させることを特徴とする請求項１または２に記載の潤滑剤塗布装置。
【請求項４】
前記気流発生部は、前記潤滑剤塗布部材の複数の第２部分のうち前記部分カバレッジが前記所定条件を満たす第１部分に当接する第２部分に向けて送風を行うことによって、当該第２部分からその外側に向かう気流を発生させることを特徴とする請求項１または２に記載の潤滑剤塗布装置。
【請求項５】
前記気流発生部により発生させられた前記気流の気体を吸引する吸引部を備えることを特徴とする請求項４に記載の潤滑剤塗布装置。
【請求項６】
請求項１〜５の何れか１項に記載の潤滑剤塗布装置を備えることを特徴とする画像形成装置。
【発明の詳細な説明】
【技術分野】
【０００１】
本発明は、潤滑剤塗布装置および画像形成装置に関する。
【背景技術】
【０００２】
一般に、電子写真プロセス技術を利用した画像形成装置（プリンター、複写機、ファクシミリ等）は、帯電した感光体に対して、画像データに基づくレーザー光を照射（露光）することにより静電潜像を形成する。そして、静電潜像が形成された感光体（像担持体）へ現像装置よりトナーを供給することにより静電潜像を可視化してトナー像を形成する。さらに、このトナー像を直接又は間接的に用紙に転写させた後、加熱、加圧して定着させることにより用紙に画像を形成する。
【０００３】
トナー像を転写した後の感光体表面には未転写のトナー等が残留するため、これらが次の画像形成に悪影響を与えないように、感光体表面はクリーニング装置によりクリーニングされて次の画像形成プロセスに備えられる。クリーニング装置としては、ゴム等の弾性体からなるクリーニングブレードを感光体表面に摺擦させて、未転写トナー等の付着物を除去するものが一般的に知られている。
【０００４】
ところが、上記のようなクリーニングブレードは、感光体との摺擦を続けると、経時で摩耗し、欠けや変形等が起因してクリーニング性能が低下するという問題がある。そこで、上記画像形成装置においては、感光体とクリーニングブレードとの間に働く摩擦抵抗を低減して、クリーニングブレードの摩耗等の不具合を解消するために、潤滑作用を有する潤滑剤（例えば、金属石鹸等）を感光体表面に塗布する潤滑剤塗布装置が設けられている。潤滑剤は固形であることが一般的であり、塗布ブラシ（潤滑剤塗布部材）に潤滑剤を押圧させた上で塗布ブラシを回転させることにより、潤滑剤を微粉状に削り取って感光体に塗布している。塗布された潤滑剤は、均しブレード等によって感光体表面に固定される。
【０００５】
また、感光体表面に潤滑剤を塗布すると、感光体表面の摩擦係数が低下するため、トナーに外添される流動化剤や帯電制御剤等がクリーニングブレードとの当接圧で感光体表面に膜状に固着する、いわゆるフィルミングの発生を防止することができる。また、潤滑剤を感光体に塗布することによって、感光体上に現像されたトナーの離型性が向上し（すなわち、感光体表面との付着力が低減し）、トナー像の転写性ひいては画質安定性が向上する。
【０００６】
特許文献１には、潤滑剤を必要以上に消費することなく、適正な量の潤滑剤を像担持体の表面に塗布する技術が開示されている。特許文献１に記載の技術では、潤滑剤塗布部材（例えば、潤滑剤塗布ブラシ）の色を検出し、検出された潤滑剤塗布部材の色に基づいて像担持体に対する潤滑剤塗布部材の押圧力や回転数を制御する。
【０００７】
特許文献２には、像保持体に対して板状部材を用いる清掃装置と、ブラシ部材を介して像保持体に潤滑剤を塗布する塗布装置とを併設する画像形成装置において、湿度の条件等が変動したときに、清掃装置の清掃不良や板状部材の摩耗等が発生することを抑制する技術が開示されている。特許文献２に記載の技術では、湿度を検出する湿度検出手段の検出情報に基づいて、塗布装置による潤滑剤の塗布量が調整されるように、ブラシ部材に付着して保持される現像剤の保持量を制御する。
【０００８】
特許文献３には、感光体上の粉体を除去し、感光体上に潤滑剤を塗布するブラシローラーに付着した粉体に潤滑剤が付着することを防止することによって、潤滑剤を無駄なく感光体に塗布することができるようにした技術が開示されている。
【０００９】
特許文献４には、初期から経時において像担持体上に潤滑剤を均一に安定的に塗付することにより、長期に渡って良好な画像を得られるようにした技術が開示されている。特許文献４に記載の技術では、潤滑剤を感光体（像担持体）に供給する潤滑剤供給部材の回転方向において、潤滑剤供給部材と像担持体との接触位置の下流側、かつ、潤滑剤供給部材と潤滑剤との接触位置の上流側に、樹脂製のフリッカなどの清掃手段を設けている。
【先行技術文献】
【特許文献】
【００１０】
【特許文献１】特開２０１３−１４８６２３号公報
【特許文献２】特開２００９−２１６７８４号公報
【特許文献３】特開２００９−４２２９５号公報
【特許文献４】特開２００７−３２８０８１号公報
【発明の概要】
【発明が解決しようとする課題】
【００１１】
ところで、上記画像形成装置では、用紙の用紙幅方向において異なるカバレッジ（印字率）を有する画像、具体的には高カバレッジ画像部と低カバレッジ画像部とが存在するような画像を連続的に形成する場合、以下のような問題があった。すなわち、感光体上において高カバレッジ画像部に対応するトナーが供給された部分では、転写後に残留する転写残トナー、クリーニングブレードをすり抜けるトナー、当該トナーに含まれる外添剤等（以下、「付着物」という）の量が多くなる。そのため、付着物が感光体から塗布ブラシに転移することによって、塗布ブラシのうち当該付着物が転移した部分は局所的に汚れてしまう。局所的に汚れた状態で塗布ブラシを使用し続けると、塗布ブラシにより削り取られた潤滑剤に対して当該付着物が局所的に固着する。そして、潤滑剤に対して付着物が局所的に固着した状態において、感光体表面に潤滑剤を塗布すると、感光体の回転軸方向において塗布ムラが発生し、ひいては当該感光体の電位ムラ（帯電の不均一性）が発生する。そして、感光体の回転軸方向において感光体の電位ムラが発生すると、最終的に用紙に形成される画像に画像スジ（画像不良）が発生するという問題があった。
【００１２】
上記問題に対して、清掃手段を設けた特許文献４に記載の技術を適用すれば、感光体から転移した付着物によって塗布ブラシが局所的に汚れることを防止し、ひいては感光体の回転軸方向における塗布ムラの発生を防止することができる。しかしながら、特許文献４に記載の技術を単に適用するだけでは、塗布ブラシにおいて付着物により汚れていない部分まで不必要に清掃されてしまうため、当該部分に付着している塗布対象の潤滑剤が不必要に除去されてしまうという別の問題があった。
【００１３】
本発明の目的は、像担持体から潤滑剤塗布部材に付着物が転移して潤滑剤塗布部材が局所的に汚れることに起因する画像スジの発生を防止することが可能な潤滑剤塗布装置および画像形成装置を提供することである。
【課題を解決するための手段】
【００１４】
本発明に係る潤滑剤塗布装置は、
潤滑剤と、
前記潤滑剤および像担持体の表面に当接しながら回転することによって、当該像担持体の表面に当該潤滑剤を塗布する潤滑剤塗布部材と、
前記像担持体の回転軸方向において当該像担持体の表面を複数の第１部分に区分し、当該像担持体に形成されたトナー像の当該第１部分毎のカバレッジを部分カバレッジとして算出する部分カバレッジ算出部と、
前記潤滑剤塗布部材の回転方向における前記潤滑剤と前記潤滑剤塗布部材との当接位置よりも上流側、かつ、前記像担持体と前記潤滑剤塗布部材との当接位置よりも下流側に設けられ、前記潤滑剤塗布部材からその外側に向かう気流を発生させる気流発生部と、
前記複数の第１部分のそれぞれに当接する前記潤滑剤塗布部材の複数の第２部分のうち、前記部分カバレッジ算出部により算出された前記部分カバレッジが所定条件を満たす第１部分に当接する第２部分に限り、当該第２部分からその外側に向かう気流を選択的に発生させるように前記気流発生部を制御する制御部と、
を備えることを特徴とする。
【００１５】
本発明に係る画像形成装置は、上記潤滑剤塗布装置を備えることを特徴とする。
【発明の効果】
【００１６】
本発明によれば、用紙の用紙幅方向（すなわち、像担持体の回転軸方向）において異なるカバレッジを有する画像を形成する場合であっても、像担持体から潤滑剤塗布部材に転移した付着物によって潤滑剤塗布部材が局所的に汚れることを防止することができる。そのため、潤滑剤塗布部材を用いて像担持体表面に潤滑剤を塗布する際に、像担持体の回転軸方向における塗布ムラの発生、ひいては電位ムラの発生を防止することができ、最終的に用紙に形成される画像に画像スジが発生することを防止することができる。
【図面の簡単な説明】
【００１７】
【図１】本実施の形態における画像形成装置の全体構成を概略的に示す図である。
【図２】本実施の形態における画像形成装置の制御系の主要部を示す図である。
【図３】本実施の形態における潤滑剤塗布装置の構成を示す図である。
【図４】本実施の形態における画像形成装置の動作例を示すフローチャートである。
【図５】画像評価パターンの例を示す図である。
【図６】画像評価パターンを用いた事前検証結果を表す表である。
【図７】本実施の形態における潤滑剤塗布装置の構成の変形例を示す図である。
【図８】画像評価パターンを用いた事前検証結果を表す表である。
【図９】本実施の形態における潤滑剤塗布装置の構成の変形例を示す図である。
【図１０】画像評価パターンを用いた事前検証結果を表す表である。
【図１１】本実施の形態における気流発生部の構成の変形例を示す図である。
【発明を実施するための形態】
【００１８】
以下、本実施の形態を図面に基づいて詳細に説明する。図１は、本発明の実施の形態に係る画像形成装置１の全体構成を概略的に示す図である。図２は、本実施の形態に係る画像形成装置１の制御系の主要部を示す。図１、２に示す画像形成装置１は、電子写真プロセス技術を利用した中間転写方式のカラー画像形成装置である。すなわち、画像形成装置１は、感光体ドラム４１３上に形成されたＹ（イエロー）、Ｍ（マゼンタ）、Ｃ（シアン）、Ｋ（ブラック）の各色トナー像を中間転写ベルト４２１に転写（一次転写）し、中間転写ベルト４２１上で４色のトナー像を重ね合わせた後、用紙Ｓに転写（二次転写）することにより、画像を形成する。画像形成装置１による画像形成処理のプロセス速度は、４６０［ｍｍ／秒］（Ａ４用紙１００［枚／分］に相当）である。
【００１９】
また、画像形成装置１には、ＹＭＣＫの４色に対応する感光体ドラム４１３を中間転写ベルト４２１の走行方向に直列配置し、中間転写ベルト４２１に一回の手順で各色トナー像を順次転写させるタンデム方式が採用されている。
【００２０】
図２に示すように、画像形成装置１は、画像読取部１０、操作表示部２０、画像処理部３０、画像形成部４０、用紙搬送部５０、定着部６０および制御部１００を備える。
【００２１】
制御部１００は、ＣＰＵ（Central  Processing  Unit）１０１、ＲＯＭ（Read  Only  Memory）１０２、ＲＡＭ（Random  Access  Memory）１０３等を備える。ＣＰＵ１０１は、ＲＯＭ１０２から処理内容に応じたプログラムを読み出してＲＡＭ１０３に展開し、展開したプログラムと協働して画像形成装置１の各ブロックの動作を集中制御する。このとき、記憶部７２に格納されている各種データが参照される。記憶部７２は、例えば不揮発性の半導体メモリ（いわゆるフラッシュメモリ）やハードディスクドライブで構成される。
【００２２】
制御部１００は、通信部７１を介して、ＬＡＮ（Local Area Network）、ＷＡＮ（Wide Area Network）等の通信ネットワークに接続された外部の装置（例えばパーソナルコンピューター）との間で各種データの送受信を行う。制御部１００は、例えば、外部の装置から送信された画像データを受信し、この画像データ（入力画像データ）に基づいて用紙Ｓに画像を形成させる。通信部７１は、例えばＬＡＮカード等の通信制御カードで構成される。
【００２３】
画像読取部１０は、ＡＤＦ（Auto  Document  Feeder）と称される自動原稿給紙装置１１及び原稿画像走査装置１２（スキャナー）等を備えて構成される。
【００２４】
自動原稿給紙装置１１は、原稿トレイに載置された原稿Ｄを搬送機構により搬送して原稿画像走査装置１２へ送り出す。自動原稿給紙装置１１により、原稿トレイに載置された多数枚の原稿Ｄの画像（両面を含む）を連続して一挙に読み取ることが可能となる。
【００２５】
原稿画像走査装置１２は、自動原稿給紙装置１１からコンタクトガラス上に搬送された原稿又はコンタクトガラス上に載置された原稿を光学的に走査し、原稿からの反射光をＣＣＤ（Charge Coupled Device）センサー１２ａの受光面上に結像させ、原稿画像を読み取る。画像読取部１０は、原稿画像走査装置１２による読取結果に基づいて入力画像データを生成する。この入力画像データには、画像処理部３０において所定の画像処理が施される。
【００２６】
操作表示部２０は、例えばタッチパネル付の液晶ディスプレイ（ＬＣＤ：Liquid Crystal Display）で構成され、表示部２１及び操作部２２として機能する。表示部２１は、制御部１００から入力される表示制御信号に従って、各種操作画面、画像の状態、各機能の動作状況等の表示を行う。操作部２２は、テンキー、スタートキー等の各種操作キーを備え、ユーザーによる各種入力操作を受け付けて、操作信号を制御部１００に出力する。
【００２７】
画像処理部３０は、入力画像データに対して、初期設定又はユーザー設定に応じたデジタル画像処理を行う回路等を備える。例えば、画像処理部３０は、制御部１００の制御下で、階調補正データ（階調補正テーブル）に基づいて階調補正を行う。また、画像処理部３０は、入力画像データに対して、階調補正の他、色補正、シェーディング補正等の各種補正処理や、圧縮処理等を施す。これらの処理が施された画像データに基づいて、画像形成部４０が制御される。
【００２８】
画像形成部４０は、入力画像データに基づいて、Ｙ成分、Ｍ成分、Ｃ成分、Ｋ成分の各有色トナーによる画像を形成するための画像形成ユニット４１Ｙ、４１Ｍ、４１Ｃ、４１Ｋ、中間転写ユニット４２等を備える。
【００２９】
Ｙ成分、Ｍ成分、Ｃ成分、Ｋ成分用の画像形成ユニット４１Ｙ、４１Ｍ、４１Ｃ、４１Ｋは、同様の構成を有する。図示及び説明の便宜上、共通する構成要素は同一の符号で示し、それぞれを区別する場合には符号にＹ、Ｍ、Ｃ、又はＫを添えて示すこととする。図１では、Ｙ成分用の画像形成ユニット４１Ｙの構成要素についてのみ符号が付され、その他の画像形成ユニット４１Ｍ、４１Ｃ、４１Ｋの構成要素については符号が省略されている。
【００３０】
画像形成ユニット４１は、露光装置４１１、現像装置４１２、感光体ドラム４１３、帯電装置４１４、及びドラムクリーニング装置４１５等を備える。
【００３１】
感光体ドラム４１３は、例えばドラム径が８０［ｍｍ］のアルミニウム製の導電性円筒体（アルミ素管）の周面に、アンダーコート層（ＵＣＬ：Under Coat Layer）、電荷発生層（ＣＧＬ：Charge Generation Layer）、電荷輸送層（ＣＴＬ：Charge Transport Layer）を順次積層した負帯電型の有機感光体（ＯＰＣ：Organic Photo-conductor）である。電荷発生層は、電荷発生材料（例えばフタロシアニン顔料）を樹脂バインダー（例えばポリカーボネイト）に分散させた有機半導体からなり、露光装置４１１による露光により一対の正電荷と負電荷を発生する。電荷輸送層は、正孔輸送性材料（電子供与性含窒素化合物）を樹脂バインダー（例えばポリカーボネイト樹脂）に分散させたものからなり、電荷発生層で発生した正電荷を電荷輸送層の表面まで輸送する。
【００３２】
制御部１００が感光体ドラム４１３を回転させる駆動モーター（図示略）に供給される駆動電流を制御することにより、感光体ドラム４１３は一定の周速度で回転する。
【００３３】
帯電装置４１４は、コロナ放電を発生させることにより、光導電性を有する感光体ドラム４１３の表面を一様に負極性に帯電させる。
【００３４】
露光装置４１１は、例えば半導体レーザーで構成され、感光体ドラム４１３に対して各色成分の画像に対応するレーザー光を照射する。感光体ドラム４１３の電荷発生層で正電荷が発生し、電荷輸送層の表面まで輸送されることにより、感光体ドラム４１３の表面電荷（負電荷）が中和される。感光体ドラム４１３の表面には、周囲との電位差により各色成分の静電潜像が形成されることとなる。
【００３５】
現像装置４１２は、二成分現像方式の現像装置であり、感光体ドラム４１３の表面に各色成分のトナーを付着させることにより静電潜像を可視化してトナー像を形成する。
【００３６】
ドラムクリーニング装置４１５は、感光体ドラム４１３の表面に摺接されるドラムクリーニングブレード等を有し、一次転写後に感光体ドラム４１３の表面に残存する転写残トナーを除去する。
【００３７】
中間転写ユニット４２は、中間転写ベルト４２１、一次転写ローラー４２２、複数の支持ローラー４２３、二次転写ローラー４２４、及びベルトクリーニング装置４２６等を備える。
【００３８】
中間転写ベルト４２１は無端状ベルトで構成され、複数の支持ローラー４２３にループ状に張架される。複数の支持ローラー４２３のうちの少なくとも一つは駆動ローラーで構成され、その他は従動ローラーで構成される。例えば、Ｋ成分用の一次転写ローラー４２２よりもベルト走行方向下流側に配置されるローラー４２３Ａが駆動ローラーであることが好ましい。これにより、一次転写部におけるベルトの走行速度を一定に保持しやすくなる。駆動ローラー４２３Ａが回転することにより、中間転写ベルト４２１は矢印Ａ方向に一定速度で走行する。
【００３９】
中間転写ベルト４２１は、導電性および弾性を有するベルトであり、表面に体積抵抗率が８〜１１［ｌｏｇΩ・ｃｍ］である高抵抗層を有する。中間転写ベルト４２１は、制御部１００からの制御信号によって回転駆動される。なお、中間転写ベルト４２１については、導電性および弾性を有するものであれば、材質、厚さおよび硬度を限定しない。
【００４０】
一次転写ローラー４２２は、各色成分の感光体ドラム４１３に対向して、中間転写ベルト４２１の内周面側に配置される。中間転写ベルト４２１を挟んで、一次転写ローラー４２２が感光体ドラム４１３に圧接されることにより、感光体ドラム４１３から中間転写ベルト４２１へトナー像を転写するための一次転写ニップが形成される。
【００４１】
二次転写ローラー４２４は、駆動ローラー４２３Ａのベルト走行方向下流側に配置されるローラー４２３Ｂ（以下「バックアップローラー４２３Ｂ」と称する）に対向して、中間転写ベルト４２１の外周面側に配置される。中間転写ベルト４２１を挟んで、二次転写ローラー４２４がバックアップローラー４２３Ｂに圧接されることにより、中間転写ベルト４２１から用紙Ｓへトナー像を転写するための二次転写ニップが形成される。
【００４２】
一次転写ニップを中間転写ベルト４２１が通過する際、感光体ドラム４１３上のトナー像が中間転写ベルト４２１に順次重ねて一次転写される。具体的には、一次転写ローラー４２２に一次転写バイアスを印加し、中間転写ベルト４２１の裏面側（一次転写ローラー４２２と当接する側）にトナーと逆極性の電荷を付与することにより、トナー像は中間転写ベルト４２１に静電的に転写される。
【００４３】
その後、用紙Ｓが二次転写ニップを通過する際、中間転写ベルト４２１上のトナー像が用紙Ｓに二次転写される。具体的には、二次転写ローラー４２４に二次転写バイアスを印加し、用紙Ｓの裏面側（二次転写ローラー４２４と当接する側）にトナーと逆極性の電荷を付与することにより、トナー像は用紙Ｓに静電的に転写される。トナー像が転写された用紙Ｓは定着部６０に向けて搬送される。
【００４４】
ベルトクリーニング装置４２６は、二次転写後に中間転写ベルト４２１の表面に残留する転写残トナーを除去する。なお、二次転写ローラー４２４に代えて、二次転写ローラーを含む複数の支持ローラーに、二次転写ベルトがループ状に張架された構成（いわゆるベルト式の二次転写ユニット）を採用しても良い。
【００４５】
定着部６０は、用紙Ｓの定着面（トナー像が形成されている面）側に配置される定着面側部材を有する上側定着部６０Ａ、用紙Ｓの裏面（定着面の反対の面）側に配置される裏面側支持部材を有する下側定着部６０Ｂ、及び加熱源６０Ｃ等を備える。定着面側部材に裏面側支持部材が圧接されることにより、用紙Ｓを狭持して搬送する定着ニップが形成される。
【００４６】
定着部６０は、トナー像が二次転写され、搬送されてきた用紙Ｓを定着ニップで加熱、加圧することにより、用紙Ｓにトナー像を定着させる。定着部６０は、定着器Ｆ内にユニットとして配置される。また、定着器Ｆには、エアを吹き付けることにより、定着面側部材又は裏面側支持部材から用紙Ｓを分離させるエア分離ユニットが配置されていても良い。
【００４７】
用紙搬送部５０は、給紙部５１、排紙部５２、及び搬送経路部５３等を備える。給紙部５１を構成する３つの給紙トレイユニット５１ａ〜５１ｃには、坪量やサイズ等に基づいて識別された用紙Ｓ（規格用紙、特殊用紙）が予め設定された種類毎に収容される。搬送経路部５３は、レジストローラー対５３ａ等の複数の搬送ローラー対を有する。
【００４８】
給紙トレイユニット５１ａ〜５１ｃに収容されている用紙Ｓは、最上部から一枚ずつ送出され、搬送経路部５３により画像形成部４０に搬送される。このとき、レジストローラー対５３ａが配設されたレジストローラー部により、給紙された用紙Ｓの傾きが補正されるとともに搬送タイミングが調整される。そして、画像形成部４０において、中間転写ベルト４２１のトナー像が用紙Ｓの一方の面に一括して二次転写され、定着部６０において定着工程が施される。画像形成された用紙Ｓは、排紙ローラー５２ａを備えた排紙部５２により機外に排紙される。
【００４９】
本実施の形態では、感光体ドラム４１３（本発明の「像担持体」に対応）に固形の潤滑剤を塗布する潤滑剤塗布装置９０が、感光体ドラム４１３の回転方向に対して、ドラムクリーニング装置４１５が有するドラムクリーニングブレード４１５Ａの下流側に設けられている。図３Ａは、本実施の形態における潤滑剤塗布装置９０の構成を示す図である。なお、潤滑剤塗布装置９０および制御部１００は、本発明の「潤滑剤塗布装置」として機能する。潤滑剤塗布装置９０および制御部１００は、ユニットとして構成されて画像形成装置１に取り付けられても良いし、それぞれが別々に画像形成装置１に組み込まれて、本発明の「潤滑剤塗布装置」として機能するものであっても良い。
【００５０】
潤滑剤塗布装置９０は、塗布ブラシローラー９１（本発明の「潤滑剤塗布部材」に対応）、潤滑剤９３および潤滑剤保持部材９４を備える。潤滑剤塗布装置９０は、画像形成ユニット４１Ｙ，４１Ｍ，４１Ｃ，４１Ｋのそれぞれに設けられている。
【００５１】
塗布ブラシローラー９１は、例えば、基布にアクリル繊維の束をループ状に織り込んで植毛したもの（毛材部）を、芯金（磁性体）に巻き付けて構成されている。塗布ブラシローラー９１のパイル長は、２．７［ｍｍ］である。塗布ブラシローラー９１の外径は、１３．４［ｍｍ］である。芯金の材料は、例えばＳＵＳ４３０等の磁性ステンレスである。
【００５２】
塗布ブラシローラー９１は、毛材部が感光体ドラム４１３に約０．７［ｍｍ］食い込むように位置決めされている。塗布ブラシローラー９１は、制御部１００からの制御信号によって、感光体ドラム４１３の回転方向と逆方向に回転駆動される。
【００５３】
潤滑剤９３は、鉛筆硬度ＨＢ相当のステアリン酸亜鉛（ＺｎＳｔ）等の潤滑剤を固めて成形したものである。潤滑剤９３は、図中の紙面垂直方向に塗布ブラシローラー９１の毛材部の軸方向長さと同程度の長さに形成される。
【００５４】
潤滑剤保持部材９４は、潤滑剤９３と塗布ブラシローラー９１の毛材部とが当接する側とは反対側の部分を保持する。潤滑剤保持部材９４は、潤滑剤保持部材９４を付勢する押圧バネ（図示せず）の弾性力によって、塗布ブラシローラー９１側に押圧されている。なお、潤滑剤保持部材９４を付勢する手段として、押圧バネの代わりに、発泡体、ゴム等による弾性力を用いても良い。
【００５５】
塗布ブラシローラー９１は、潤滑剤９３および感光体ドラム４１３の表面に当接しながら回転することによって、潤滑剤９３を微粉状に削り取り感光体ドラム４１３の表面に塗布する。なお、図示していないが、感光体ドラム４１３の回転方向に対して塗布ブラシローラー９１の下流側には、感光体ドラム４１３の表面に塗布された潤滑剤の分布を均一化する均しブレードが設けられている。
【００５６】
制御部１００は、潤滑剤塗布装置９０周囲の温湿度環境に応じて、塗布ブラシローラー９１の回転速度を変更する。例えば、潤滑剤塗布装置９０周囲の温湿度環境がＬＬ環境（低温低湿環境）である場合、制御部１００は、塗布ブラシローラー９１の回転速度を２１５［ｍｍ／ｓ］に設定する。このとき、塗布ブラシローラー９１の回転速度（Ｖ１）と、感光体ドラム４１３の回転速度（Ｖ２）との回転速度比θ（＝Ｖ１／Ｖ２）は０．４７となる。また、潤滑剤塗布装置９０周囲の温湿度環境がＮＮ環境（常温常湿環境）である場合、制御部１００は、塗布ブラシローラー９１の回転速度を２７１［ｍｍ／ｓ］に設定する。このとき、塗布ブラシローラー９１の回転速度（Ｖ１）と、感光体ドラム４１３の回転速度（Ｖ２）との回転速度比θ（＝Ｖ１／Ｖ２）は０．５９となる。また、潤滑剤塗布装置９０周囲の温湿度環境がＨＨ環境（高温高湿環境）である場合、制御部１００は、塗布ブラシローラー９１の回転速度を３０７［ｍｍ／ｓ］に設定する。このとき、塗布ブラシローラー９１の回転速度（Ｖ１）と、感光体ドラム４１３の回転速度（Ｖ２）との回転速度比θ（＝Ｖ１／Ｖ２）は０．６７となる。ＬＬ環境では、塗布ブラシローラー９１の毛材部が硬くなり、感光体ドラム４１３への潤滑剤の塗布量が多くなるため、塗布ブラシローラー９１の回転速度をＮＮ環境時よりも遅くして塗布量の増大を防止する。一方、ＨＨ環境では、塗布ブラシローラー９１の毛材部が柔らかくなり、感光体ドラム４１３への潤滑剤の塗布量が少なくなるため、塗布ブラシローラー９１の回転速度をＮＮ環境時よりも速くして塗布量の減少を防止する。
【００５７】
ところで、上記画像形成装置１では、用紙Ｓの用紙幅方向において異なるカバレッジ（印字率）を有する画像、具体的には高カバレッジ画像部と低カバレッジ画像部とが存在するような画像を連続的に形成する場合、以下のような問題があった。すなわち、感光体ドラム４１３上において現像装置４１２から高カバレッジ画像部に対応するトナーが供給された部分では、転写後に残留する転写残トナー、ドラムクリーニングブレード４１５Ａをすり抜けるトナー、当該トナーに含まれる外添剤等（以下、「付着物」という）の量が多くなる。そのため、付着物が感光体ドラム４１３から塗布ブラシローラー９１に転移することによって、塗布ブラシローラー９１のうち当該付着物が転移した部分は局所的に汚れてしまう。局所的に汚れた状態で塗布ブラシローラー９１を使用し続けると、塗布ブラシローラー９１により削り取られた潤滑剤９３に対して付着物が局所的に固着する。そして、潤滑剤９３に対して付着物が局所的に固着した状態において、感光体ドラム４１３の表面に潤滑剤９３を塗布すると、感光体ドラム４１３の回転軸方向において塗布ムラが発生し、ひいては感光体ドラム４１３上で電位ムラ（帯電装置４１４による帯電の不均一性）が発生する。そして、感光体ドラム４１３の回転軸方向において電位ムラが発生すると、最終的に用紙Ｓに形成される画像に画像スジ（画像不良）が発生するという問題があった。
【００５８】
そこで、本実施の形態では、塗布ブラシローラー９１の回転方向における潤滑剤９３と塗布ブラシローラー９１との当接位置Ｐ２よりも上流側、かつ、感光体ドラム４１３と塗布ブラシローラー９１との当接位置Ｐ１よりも下流側には、塗布ブラシローラー９１からその外側に向かう気流を発生させる気流発生部１１０が、塗布ブラシローラー９１に対向して設けられている。
【００５９】
図３Ｂに示すように、気流発生部１１０は、塗布ブラシローラー９１の軸方向に３２個配置され、塗布ブラシローラー９１を吸引することによって、塗布ブラシローラー９１からその外側に向かう気流を発生させる吸引部１１２を有する。吸引部１１２は、塗布ブラシローラー９１の回転駆動に同期して駆動され、図示しないファンが回転駆動することにより吸引部１１２が有する吸引口１１２Ａからエアを吸引する。この吸引動作によって、当接位置Ｐ１において感光体ドラム４１３から塗布ブラシローラー９１に転移した付着物が当接位置Ｐ２を通過する前に、当該付着物は、吸引部１１２の吸引口１１２Ａから吸引される。
【００６０】
吸引部１１２の吸引動作によって、用紙Ｓの用紙幅方向において異なるカバレッジを有する画像を形成する場合であっても、感光体ドラム４１３から塗布ブラシローラー９１に転移した付着物によって塗布ブラシローラー９１が局所的に汚れることを防止することができる。そのため、塗布ブラシローラー９１を用いて感光体ドラム４１３の表面に潤滑剤９３を塗布する際に、感光体ドラム４１３の回転軸方向における塗布ムラの発生ひいては電位ムラの発生を防止することができ、最終的に用紙Ｓに形成される画像に画像スジが発生することを防止することができる。
【００６１】
次に、図４のフローチャートを参照し、本実施の形態における画像形成装置１の制御動作について説明する。図４における各処理は、例えば印刷ジョブの実行が開始することにより開始する。
【００６２】
まず、制御部１００は、感光体ドラム４１３の摺動距離が所定距離（例えば、Ａ３用紙で５００［枚］の画像形成処理に相当する距離）以上であるか否かについて判定する（ステップＳ１００）。この判定の結果、感光体ドラム４１３の摺動距離が所定距離以上でない場合（ステップＳ１００、ＮＯ）、処理はステップＳ１００の前に戻る。
【００６３】
一方、感光体ドラム４１３の摺動距離が所定距離以上である場合（ステップＳ１００、ＹＥＳ）、制御部１００（部分カバレッジ算出部）は、感光体ドラム４１３の回転軸方向において感光体ドラム４１３の表面を複数（本実施の形態では、３２）の第１部分（幅：約１０［ｍｍ］）に区分し、画像処理部３０により画像処理が施された画像データに基づいて、例えばＡ３用紙で５００［枚］の画像形成処理が実行された際に感光体ドラム４１３に形成されたトナー像の第１部分毎のカバレッジを部分カバレッジとして算出する（ステップＳ１２０）。本実施の形態では、感光体ドラム４１３の回転軸方向において区分された各第１部分に当接する塗布ブラシローラー９１の各部分（以下、第２部分）に対向して、気流発生部１１０が有する３２個の吸引部１１２がそれぞれ配置されている。
【００６４】
次に、制御部１００は、感光体ドラム４１３の回転軸方向において区分された第１部分のうち、ステップＳ１２０において算出した部分カバレッジが所定カバレッジ（本実施の形態では３０［％］、以下「基準カバレッジ」ともいう）を超える第１部分が存在するか否かについて判定する（ステップＳ１４０）。この判定の結果、部分カバレッジが所定カバレッジを超える第１部分が存在しない場合（ステップＳ１４０、ＮＯ）、画像形成装置１は、図４における処理を終了する。
【００６５】
一方、部分カバレッジが所定カバレッジを超える第１部分が存在する場合（ステップＳ１４０、ＹＥＳ）、制御部１００は、現在の塗布ブラシローラー９１の回転速度を取得する（ステップＳ１６０）。次に、制御部１００は、部分カバレッジが所定カバレッジを超える第１部分に当接する塗布ブラシローラー９１の第２部分に対向して配置された吸引部１１２により発生させられる気流の風速を、当該第１部分の部分カバレッジに応じて算出する（ステップＳ１８０）。具体的には、制御部１００は、気流の風速を以下の式（１）に基づいて算出する。
気流の風速［ｍｍ／ｓ］＝（塗布ブラシローラー９１の回転速度［ｍｍ／ｓ］）×（第１部分の部分カバレッジ［％］）÷（基準カバレッジ：３０［％］）・・・（１）
式（１）から明らかなように、部分カバレッジが増大するにつれて、吸引部１１２により発生させられる気流の風速は増大する。
【００６６】
最後に、制御部１００は、ステップＳ１８０において算出した気流の風速を気流発生部１１０に設定する（ステップＳ２００）。ステップＳ２００の処理が完了することによって、画像形成装置１は、図４における処理を終了する。
【００６７】
上記フローチャートの処理により、算出された部分カバレッジが所定カバレッジを超える第１部分と当接する塗布ブラシローラー９１の第２部分に限り、当該第２部分からその外側に向かう気流が発生させられることとなる。そのため、塗布ブラシローラー９１において付着物により汚れていない部分まで不必要に清掃されてしまうことがなく、当該部分に付着している塗布対象の潤滑剤が不必要に除去されてしまうことを防止することができる。
【００６８】
なお、上記フローチャートの判定処理（ステップＳ１４０）で使用する基準カバレッジは、図５に示す画像評価パターンを用いて求めた。図５に示すように、Ａ３サイズの用紙Ｓには、図中左右方向（感光体ドラム４１３の軸方向に対応）においてカバレッジがそれぞれ異なる縦帯画像Ｉ１〜Ｉ６（シアン色）を有する画像評価パターンが形成されている。用紙Ｓの図中上下方向における画像Ｉ１〜Ｉ６のカバレッジは、それぞれ１００［％］、７５［％］、５０［％］、４０［％］、３０［％］、１０［％］である。そして、ＬＬ環境において、Ａ４用紙で２００００［枚］の画像形成処理を連続的に実行した。この際、画像形成処理の実行前および、３０００、５０００、１００００、１５０００、２００００［枚目］の画像形成処理の実行後に、用紙Ｓ（Ａ４用紙）の全面にハーフトーン画像を形成する処理を行い、当該ハーフトーン画像上で画像Ｉ１〜Ｉ６が形成される部分（各カバレッジ部分）に発生する画像スジのレベルをＲ１〜Ｒ５の５段階でランク評価を行った。本実施の形態では、Ｒ３以上を良品と判断する一方、Ｒ２以下を不良品と判断した。
【００６９】
図６は、気流発生部１１０による気流（吸引）の発生有無に応じて上述の２００００［枚］の画像形成処理を実行した場合、画像形成処理の実行前（０［枚目］）および、３０００、５０００、１００００、１５０００、２００００［枚目］の画像形成処理の実行後におけるハーフトーン画像形成処理で発生した画像スジのレベルを、画像Ｉ１〜Ｉ６が形成される部分のそれぞれについて示す表（事前検証結果）である。図６に示すように、気流発生部１１０による気流（吸引）の発生がない場合、カバレッジが３０［％］を超える画像Ｉ１〜Ｉ４（１００［％］、７５［％］、５０［％］、４０［％］）が形成される部分については、２００００［枚目］の画像形成処理の実行完了前に画像スジのレベルがＲ２以下となり、気流発生部１１０による吸引が必要であることがわかった。カバレッジがより高い画像が形成される部分ほど、画像形成処理の早い段階（枚数の少ない段階）で画像スジのレベルがＲ２以下となっている。そこで、上記フローチャートにおける基準カバレッジ、すなわち気流発生部１１０による気流（吸引）の発生が不要となるカバレッジを３０［％］として求めた。また、気流発生部１１０による吸引が必要な各カバレッジ（１００［％］、７５［％］、５０［％］、４０［％］）について、当該吸引の風速をいろいろ変えてはその場合の画像スジのレベルを確認することを繰り返し、図６に示す表の吸引有りの行（下から４つの行）に示すように、２００００［枚目］の画像形成処理の実行完了まで画像スジのレベルがＲ５となる当該吸引（気流）の風速を求めた。その結果は、部分カバレッジが増大するにつれて、吸引部１１２により発生させられる気流の風速が増大する上記式（１）の決定に反映されている。
【００７０】
以上詳しく説明したように、本実施の形態では、潤滑剤塗布装置９０（画像形成装置１）は、感光体ドラム４１３の回転軸方向において感光体ドラム４１３の表面を複数の第１部分に区分し、感光体ドラム４１３に形成されたトナー像の第１部分毎の部分カバレッジを算出し、塗布ブラシローラー９１の回転方向における潤滑剤９３と塗布ブラシローラー９１との当接位置よりも上流側、かつ、感光体ドラム４１３と塗布ブラシローラー９１との当接位置よりも下流側に設けられた気流発生部１１０を制御し、複数の第１部分のそれぞれに当接する塗布ブラシローラー９１の第２部分のうち、算出された部分カバレッジが所定条件（基準カバレッジを超えるという条件）を満たす第１部分に当接する第２部分に限り、当該第２部分からその外側に向かう気流を選択的に発生させる。
【００７１】
このように構成した本実施の形態によれば、用紙Ｓの用紙幅方向（すなわち、感光体ドラム４１３の回転軸方向）において異なるカバレッジを有する画像を形成する場合であっても、感光体ドラム４１３から塗布ブラシローラー９１に転移した付着物によって塗布ブラシローラー９１が局所的に汚れることを防止することができる。そのため、塗布ブラシローラー９１を用いて感光体ドラム４１３の表面に潤滑剤９３を塗布する際に、感光体ドラム４１３の回転軸方向における塗布ムラの発生、ひいては電位ムラの発生を防止することができ、最終的に用紙Ｓに形成される画像に画像スジが発生することを防止することができる。
【００７２】
なお、上記実施の形態では、塗布ブラシローラー９１の複数の第２部分のうち部分カバレッジが所定条件を満たす第１部分（感光体ドラム４１３）に当接する第２部分を吸引することによって、当該第２部分からその外側に向かう気流を発生させる例について説明したが、本発明はこれに限定されない。例えば、塗布ブラシローラー９１の複数の第２部分のうち部分カバレッジが所定条件を満たす第１部分に当接する第２部分に向けて送風を行うことによって、当該第２部分からその外側に向かう気流を発生させても良い。図７Ａは、潤滑剤塗布装置９０の構成の変形例を示す図である。図７Ｂは、潤滑剤塗布装置９０の一部を示す正面図（塗布ブラシローラー９１の回転軸と直角方向から見た図）である。図７Ｃは、潤滑剤塗布装置９０の一部を拡大して示す部分拡大図である。図７Ａに示すように、塗布ブラシローラー９１の回転方向における潤滑剤９３と塗布ブラシローラー９１との当接位置Ｐ２よりも上流側、かつ、感光体ドラム４１３と塗布ブラシローラー９１との当接位置Ｐ１よりも下流側には、塗布ブラシローラー９１からその外側に向かう気流を発生させる気流発生部１２０が、塗布ブラシローラー９１に対向して設けられている。気流発生部１２０は、塗布ブラシローラー９１の軸方向に３２個配置され、塗布ブラシローラー９１に向けて送風を行うことによって、塗布ブラシローラー９１からその外側に向かう気流を発生させる送風部を有する。送風部の送風動作によって、当接位置Ｐ１において感光体ドラム４１３から塗布ブラシローラー９１に転移した付着物が当接位置Ｐ２を通過する前に、当該付着物は、塗布ブラシローラー９１から吹き飛ばされ散ることとなる。図７Ａ，７Ｂに示すように、塗布ブラシローラー９１の回転軸方向における潤滑剤９３の両外側には、塗布ブラシローラー９１の芯金９２Ａを回転可能に支持する軸受９２Ｂに対向し、気流発生部１２０（送風部）の送風により発生させられた気流の気体、より具体的には塗布ブラシローラー９１から飛翔した付着物を含む気体を矢印方向に吸引する吸引部１３０が設けられている。吸引部１３０は、潤滑剤保持部材９４を塗布ブラシローラー９１側に付勢する押圧バネ９５の姿勢を保つガイドピンでもあり、塗布ブラシローラー９１から飛翔した付着物を含む気体を吸引する吸引路を形成するために中空状に形成されている。押圧バネ９５の図中下端部は、筐体９６に固定されている。なお、図７Ｃに示すように、吸引部１３０を設ける代わりに、潤滑剤保持部材９４および筐体９６に塗布ブラシローラー９１の回転軸方向に沿ったスリット穴９４Ａ，９６Ａをそれぞれ形成することによって、塗布ブラシローラー９１から飛翔した付着物を含む気体を矢印方向に吸引する吸引路を形成しても良い。
【００７３】
図８は、気流発生部１２０による気流（送風）の発生有無に応じて、画像評価パターン（図５を参照）を用いた２００００［枚］の画像形成処理を実行した場合、画像形成処理の実行前（０［枚目］）および、３０００、５０００、１００００、１５０００、２００００［枚目］の画像形成処理の実行後におけるハーフトーン画像形成処理で発生した画像スジのレベルを、画像Ｉ１〜Ｉ６が形成される部分のそれぞれについて示す表（事前検証結果）である。図８に示すように、気流発生部１２０による気流（送風）の発生がない場合、カバレッジが３０［％］を超える画像Ｉ１〜Ｉ４（１００［％］、７５［％］、５０［％］、４０［％］）が形成される部分については、２００００［枚目］の画像形成処理の実行完了前に画像スジのレベルがＲ２以下となり、気流発生部１２０による送風が必要であることがわかる。カバレッジがより高い画像が形成される部分ほど、画像形成処理の早い段階（枚数の少ない段階）で画像スジのレベルがＲ２以下となっている。つまり、図７に示す潤滑剤塗布装置９０の構成において、図４のフローチャートにおける基準カバレッジ、すなわち気流発生部１２０による気流の発生が不要となるカバレッジは３０［％］と求められる。また、気流発生部１２０による送風が必要な各カバレッジ（１００［％］、７５［％］、５０［％］、４０［％］）について、当該送風の風速をいろいろ変えてはその場合の画像スジのレベルを確認することを繰り返すことにより、図８に示す表の送風有りの行（下から４つの行）に示すように２００００［枚目］の画像形成処理の実行完了まで画像スジのレベルがＲ５となる当該送風の風速は求められる。
【００７４】
塗布ブラシローラー９１に向けて送風を行う場合、塗布ブラシローラー９１の回転方向に対してカウンター方向（塗布ブラシローラー９１の回転方向と反対方向）に気体が吹き送られるため、塗布ブラシローラー９１をその外側から吸引する場合と比べて、感光体ドラム４１３から塗布ブラシローラー９１に転移した付着物をより綺麗に除去することができる。ただし、図７に示す構成では、塗布ブラシローラー９１に向けて送風を行う気流発生部１２０の他に吸引部１３０を別途設ける必要があるため、潤滑剤塗布装置９０の構成が複雑化するとともに、その構成に必要なスペースも増大する。よって、潤滑剤塗布装置９０の構成の簡易化、および、当該構成の省スペース化の観点からは、塗布ブラシローラー９１をその外側から吸引する構成（すなわち、塗布ブラシローラー９１を吸引する気流発生部１１０のみを設ける構成）の方が好ましい。
【００７５】
また、上記実施の形態では、潤滑剤塗布装置９０は、感光体ドラム４１３の回転方向に対して、ドラムクリーニングブレード４１５Ａの下流側に設けられる例について説明したが、図９に示すように、ドラムクリーニングブレード４１５Ａの下流側に設けられても良い。図９に示すように、塗布ブラシローラー９１の回転方向における潤滑剤９３と塗布ブラシローラー９１との当接位置Ｐ２よりも上流側、かつ、感光体ドラム４１３と塗布ブラシローラー９１との当接位置Ｐ１よりも下流側には、塗布ブラシローラー９１からその外側に向かう気流を発生させる気流発生部１４０が、塗布ブラシローラー９１に対向して筐体９６に取り付けられている。気流発生部１４０は、塗布ブラシローラー９１の軸方向に３２個配置され、塗布ブラシローラー９１に向けて送風を行うことによって、塗布ブラシローラー９１からその外側に向かう気流を発生させる送風部を有する。送風部の送風動作によって、当接位置Ｐ１において感光体ドラム４１３から塗布ブラシローラー９１に転移した付着物が当接位置Ｐ２を通過する前に、当該付着物は、塗布ブラシローラー９１から吹き飛ばされることとなる。また、塗布ブラシローラー９１の回転方向における気流発生部１４０の上流側においては、塗布ブラシローラー９１に対向し、気流発生部１４０により発生させられた気流の気体、より具体的には塗布ブラシローラー９１から飛翔した付着物を含む気体を吸引する吸引部１５０が筐体９６に取り付けられている。
【００７６】
図１０は、気流発生部１４０による気流（送風）の発生有無に応じて、画像評価パターン（図５を参照）を用いた２００００［枚］の画像形成処理を実行した場合、画像形成処理の実行前（０［枚目］）および、３０００、５０００、１００００、１５０００、２００００［枚目］の画像形成処理の実行後におけるハーフトーン画像形成処理で発生した画像スジのレベルを、画像Ｉ１〜Ｉ６が形成される部分のそれぞれについて示す表（事前検証結果）である。図１０に示すように、気流発生部１４０による気流（送風）の発生がない場合、カバレッジが１０［％］を超える画像Ｉ１〜Ｉ５（１００［％］、７５［％］、５０［％］、４０［％］、３０［％］）が形成される部分については、２００００［枚目］の画像形成処理の実行完了前に画像スジのレベルがＲ２以下となり、気流発生部１４０による送風が必要であることがわかる。カバレッジがより高い画像が形成される部分ほど、画像形成処理の早い段階（枚数の少ない段階）で画像スジのレベルがＲ２以下となっている。つまり、図９に示す潤滑剤塗布装置９０の構成において、図４のフローチャートにおける基準カバレッジ、すなわち気流発生部１４０による気流（送風）の発生が不要となるカバレッジは１０［％］と求められる。また、気流発生部１４０による送風が必要な各カバレッジ（１００［％］、７５［％］、５０［％］、４０［％］、３０［％］）について、当該送風の風速をいろいろ変えてはその場合の画像スジのレベルを確認することを繰り返すことにより、図１０に示す表の吸引有りの行（下から５つの行）に示すように２００００［枚目］の画像形成処理の実行完了まで画像スジのレベルがＲ５となる当該送風の風速は求められる。
【００７７】
また、上記実施の形態では、感光体ドラム４１３の回転軸方向において感光体ドラム４１３の表面を３２個に区分した第１部分に対応するように、塗布ブラシローラー９１の軸方向に吸引部１１２を３２個配置する例について説明したが、塗布ブラシローラー９１からその外側に向かう所望の気流を選択的に発生させる構成であれば、感光体ドラム４１３の表面を区分する数、吸引部１１２の配置数等はこれに限定されない。例えば、図１１Ａに示すように、感光体ドラム４１３の回転軸方向において感光体ドラム４１３の表面を１０個に区分し、その区分した各第１部分に対応するように、塗布ブラシローラー９１の軸方向に吸引部１１２を１０個配置しても良い。また、図１１Ｂに示すように、塗布ブラシローラー９１の軸方向に、塗布ブラシローラー９１に対する吸引口１１２Ａ（吸引部１１２全体）の向きを矢印方向に変更可能な吸引部１１２を３個配置しても良い。この場合、吸引を行う吸引部１１２を選択するとともに、当該吸引部１１２の吸引口１１２Ａの向きを制御することによって、部分カバレッジが所定カバレッジを超える第１部分に当接する塗布ブラシローラー９１の第２部分からその外側に向かう気流を選択的に発生させる。また、吸引部１１２の吸引口１１２Ａに吸引口１１２Ａの開閉を行うシャッターを設け、部分カバレッジが所定カバレッジを超える第１部分に対応する吸引部１１２については、シャッターを開いて塗布ブラシローラー９１の第２部分を吸引させる一方、部分カバレッジが所定カバレッジを超えない第１部分に対応する吸引部１１２については、シャッターを閉じて塗布ブラシローラー９１の第２部分を吸引させないように制御しても良い。
【００７８】
また、上記実施の形態では、感光体ドラム４１３が本発明の「像担持体」に対応する例について説明したが、本発明はこれに限定されない。例えば、中間転写ベルト４２１に潤滑剤が塗布される場合、中間転写ベルト４２１が本発明の「像担持体」に対応しても良い。
【００７９】
その他、上記実施の形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００８０】
１  画像形成装置
１０  画像読取部
２０  操作表示部
２１  表示部
２２  操作部
３０  画像処理部
４０  画像形成部
５０  用紙搬送部
６０  定着部
７１  通信部
７２  記憶部
９０  潤滑剤塗布装置
９１  塗布ブラシローラー
９２Ａ  芯金
９２Ｂ  軸受
９３  潤滑剤
９４  潤滑剤保持部材
９５  押圧バネ
９６  筐体
１００  制御部
１０１  ＣＰＵ
１０２  ＲＯＭ
１０３  ＲＡＭ
１１０，１２０，１４０  気流発生部
１１２，１３０，１５０  吸引部
１１２Ａ  吸引口
４１３  感光体ドラム
４１５Ａ  ドラムクリーニングブレード
Ｐ１，Ｐ２  当接位置
【図１】
2015232645.tif 000003
【図２】
2015232645.tif 000004
【図３】
2015232645.tif 000005
【図４】
2015232645.tif 000006
【図５】
2015232645.tif 000007
【図６】
2015232645.tif 000008
【図７】
2015232645.tif 000009
【図８】
2015232645.tif 000010
【図９】
2015232645.tif 000011
【図１０】
2015232645.tif 000012
【図１１】
2015232645.tif 000013